(57)【要約】      （修正有）【課題】背負える冷却マットを提供する。【解決手段】冷却するマット１と、マットの右上端部と右下端部に取り付けられた肩紐２と、マットの左上端部と左下端部に取り付けられた肩紐２と、マットの中央部に設けた保冷剤４の入るポケット３からなる。【選択図】図１
2014168597.tif 000002
【特許請求の範囲】
【請求項１】
冷却するマットと、前記マットの右上端部と右下端部に取り付けられた肩紐と、前記マットの左上端部と左下端部に取り付けられた肩紐と、前記マットの中央部に設けた保冷剤の入るポケットからなる背負える冷却マット。
【請求項２】
前記肩紐のポケット取り付け部に、保冷剤の入るポケットを取り付けた請求項１記載の背負える冷却マット。
【請求項３】
前記肩紐に取り付けた固定具（１２）と、前記固定具（１２）に保冷剤の入るポケットに取り付けた固定具（１１）を取り付け、結合できる請求項１記載の背負える冷却マット。
【請求項４】
前記肩紐に、保冷剤の入るポケットが固定具で巻き付けることができる請求項１記載の背負える冷却マット。
【請求項５】
前記マットと前記肩紐の材質を、吸水性のあるガーゼ、パイル地、タオル地にした請求項１記載の背負える冷却マット。
【発明の詳細な説明】
【技術分野】
【０００１】
背負える冷却マットに関する技術である。冷却マットは汗取り機能も兼ね備えている。          
【背景技術】
【０００２】
リュックサックの背中に保冷剤を入れるためのポケットをつける。ポケットの材質は冷気を急に伝えず徐々に伝えるフェルト様の材質にすることである。以上の構成よりなる背中の涼しいリュックサック。と記載されている。（例えば、特許文献１参照。）。
【先行技術文献】
【特許文献】
【０００３】
【特許文献１】特開２０１２−２０１０２号公報（段落０００３）
【発明の概要】
【発明が解決しようとする課題】
【０００４】
しかしながら、背中の涼しいリュックサックは、保冷剤を入れるためのポケットが、リュックサックの背中の面にしかないので、体温の上がり下がりが顕著に現れるリンパ腺の集中する脇の部分には保冷剤を入れることができないため、夏場の体温上昇を抑える効果が十分望めない。また、ポケットの材質がフェルト様の材質のため、十分な汗の吸収は望めない。本発明は、このような従来の問題を解決しようとするもので、背負える冷却マットを提供することを目的とするものである。
【課題を解決するための手段】
【０００５】
本発明は、冷却するマットと、前記マットの右上端部と右下端部に取り付けられた肩紐と、前記マットの左上端部と左下端部に取り付けられた肩紐と、前記マットの中央部に設けた保冷剤の入るポケットからなる背負える冷却マット。
【０００６】
また、前記肩紐のポケット取り付け部に、保冷剤の入るポケットを取り付けたものである。
【０００７】
また、前記肩紐に取り付けた固定具と、前記固定具に保冷剤の入るポケットに取り付けた固定具を取り付け、結合することができるものである。
【０００８】
また、前記肩紐に、保冷剤の入るポケットが固定具で巻き付けることができるものである。
【０００９】
また、前記マットと前記肩紐の材質を、吸水性のあるガーゼ、パイル地、タオル地にしたものである。
【発明の効果】
【００１０】
本発明の背負える冷却マットによれば背中の面だけでなく、肩紐の裏面と脇とが接触する部分にも保冷剤を入れられるポケットがついていることにより、体温の上がり下がりが顕著に現れるリンパ腺の集中する脇の部分も冷やすことができるため、夏場の体温の上昇を抑え、熱中症予防の効果が期待できる。また、全体の材質が汗を吸収しやすいガーゼ、パイル地、タオル地になっているため、十分な汗の吸収が期待できる。
【図面の簡単な説明】
【００１１】
【図１】本発明に係る背負える冷却マットを示す正面図である。
【図２】本発明に係る背負える冷却マットを示す裏面図である。
【図３】本発明に係る背負える冷却マットを示す裏面図である。
【図４】本発明に係る背負える冷却マットを人間が背負った時の可視図である。
【図５】ポケットに、固定具を取り付けた図である。
【図６】肩紐に、固定具を取り付けた図である。
【図７】肩紐に、ポケットを取り付けた時の側面図である。
【図８】ポケットに、固定具を取り付けた図である。
【図９】肩紐に、ポケットを巻き付けた時の可視図である。
【発明を実施するための形態】
【００１２】
図１を説明する。本発明の背負える冷却マットは、図１に示されるように、マット１の右上端部に肩紐２の取り付け部ａが取り付けられていて、マット１の右下端部に肩紐２の取り付け部ｂが取り付けられている。また、マット１の左上端部に肩紐２の取り付け部ｃが取り付けられていて、マット１の左下端部に肩紐２の取り付け部ｄが取り付けられている。
【００１３】
マット１の右側ほぼ中央にポケット３が縫い付けられており、ポケット３の中に保冷剤４が入るようになっている。また、マット１の左側ほぼ中央にポケット３が縫い付けられており、ポケット３の中に保冷剤４が入るようになっている。マット１のポケット３、保冷剤４は、人間の背中の上部に接触する。図１は、ポケットを２個表している。
【００１４】
図２を説明する。マット１のほぼ中央にポケット5が縫い付けられており、ポケット５の中に保冷剤６が入るようになっている。マット１のポケット５、保冷剤６は、人間の背中の上部に接触する。図１はポケットを２個表しているが、図２のようにポケットは大きくして1個でも良い。
【００１５】
図３を説明する。右肩紐２のポケット取り付け部ｅにポケット７が縫い付けられており、ポケット７の中に保冷剤８が入るようになっている。また、左肩紐２のポケット取り付け部ｆにポケット５が縫い付けられており、ポケット７の中に保冷剤８が入るようになっている。
【００１６】
図４を説明する。図４は、人間がマット１を背負った時に、肩紐２のポケット７が人間の脇のリンパ腺が集中しているあたりに位置することを示した図である。肩紐２のポケット７は正面からは見えないが、どこの位置にくるのかを分かるようにして可視化して書いたものである。
【００１７】
図５を説明する。保冷剤が入るようになっているポケット１０の肩紐１７（図6に記載）と接触する面に、固定具１１（例えば、凸スナップボタンや凸面テープ）を取り付けた図である。図５は固定具を２個表しているが、1個、または3個以上の複数でも良い。
【００１８】
図6を説明する。右肩紐１７の固定具取り付け部ｇに、固定具１２（例えば、凹スナップボタンや凹面テープ）が取り付けられている。また、左肩紐１７の固定具取り付け部ｈに固定具１２が取り付けられている。図６は固定具を4個表しているが、4個以外でも良い。
【００１９】
図７を説明する。ポケット１０の固定具１１が、肩紐１７の上から2番目と3番目の固定具１２に取り付けられているところを表した側面図である。図７では、固定具１１を肩紐１７の上から２番目と３番目の固定具１２に取付けているが、使用する者のリンパ腺の集中する脇の位置に合わせて、固定具１１を取り付ける固定具１２の位置を変えれば、簡単にポケットの位置調整が出来るようになっている。
【００２０】
図８を説明する。保冷剤が入るようになっているポケット１３の両端に取り付け布14が縫い付けてあり、取り付け布１４の固定具取り付け部iに固定具１５（例えば、凸面テープや凸スナップボタン）が縫い付けられている。また、取り付け布１４の固定具取り付け部ｊに固定具１６（例えば、凹面テープや凹スナップボタン）が縫い付けられており、１５と16の取り付け取り外しが可能となっている。
【００２１】
図９を説明する。肩紐２に保冷剤が入るようになっているポケット１３を取り付けた時の状態が分かるように示した図である。固定具１５と固定具１６は正面からは見えないが、取り付けた時の状態が分かるようにして可視化して書いたものである。ポケット１３の固定具１５と固定具１６を接着させて、肩紐２に巻き付けている。固定具１５と固定具１６を取り付けたり取り外したりすることで、使用する者のリンパ腺の集中する脇の位置に合わせて、簡単にポケット１３の位置調整が出来るようになっている。
【００２２】
マット１と肩紐２と肩紐１７の材質は吸水性を持っており、ガーゼ、パイル地、タオル地が良い。
【００２３】
マット１の形状は、小さい子供でも嫌がらずに背負えるように天使の羽の形をしているが、これに限らず他の形状でも良い。
【産業上の利用可能性】
【００２４】
衣服の背中の面にマット１を取り付けて、袖を通す肩のところに肩紐２を取り付けると、衣服としても応用できる。
【符号の説明】
【００２５】
１    マット（汗取りを兼ねる）
２    肩紐
３    ポケット
４    保冷剤
５    ポケット
６    保冷剤
７    ポケット
８    保冷剤
９    人間
１０  ポケット
１１  固定具
１２  固定
１３  ポケット
１４  取り付け布
１５  固定具
１６  固定具
１７  肩紐
１８  ポケットの口
１９  ポケットの口
ａ    取り付け部
ｂ    取り付け部
ｃ    取り付け部
ｄ    取り付け部
ｅ    ポケット取り付け
ｆ    ポケット取り付け部
ｇ    固定具取り付け部
ｈ    固定具取り付け部
ｉ    固定具取り付け部
ｊ    固定具取り付け部
【図１】
2014168597.tif 000003
【図２】
2014168597.tif 000004
【図３】
2014168597.tif 000005
【図４】
2014168597.tif 000006
【図５】
2014168597.tif 000007
【図６】
2014168597.tif 000008
【図７】
2014168597.tif 000009
【図８】
2014168597.tif 000010
【図９】
2014168597.tif 000011
【手続補正書】
【提出日】平成25年6月15日(2013.6.15)
【手続補正１】
【補正対象書類名】特許請求の範囲
【補正対象項目名】全文
【補正方法】変更
【補正の内容】
【特許請求の範囲】
【請求項１】
冷却するマットと、前記マットの右上端部と右下端部に取り付けられた肩紐と、前記マットの左上端部と左下端部に取り付けられた肩紐と、前記マットの中央部に設けた保冷剤の入るポケットと、前記肩紐に固定具で巻きつけて位置調整ができる保冷剤の入るポケットからなる背負える冷却マット。
【請求項２】
前記マットと前記肩紐の材質を、吸水性のあるガーゼ、パイル地、タオル地にした請求項１記載の背負える冷却マット。
【手続補正２】
【補正対象書類名】明細書
【補正対象項目名】０００５
【補正方法】変更
【補正の内容】
【０００５】
本発明は、冷却するマットと、前記マットの右上端部と右下端部に取り付けられた肩紐と、前記マットの左上端部と左下端部に取り付けられた肩紐と、前記マットの中央部に設けた保冷剤の入るポケットと、前記肩紐に固定具で巻きつけて位置調整ができる保冷剤の入るポケットからなる背負える冷却マット。また、前記マットと前記肩紐の材質を、吸水性のあるガーゼ、パイル地、タオル地にした背負える冷却マット。